(57)【要約】【課題】構造が簡単であると共に建物等に対する取付が簡単でかつ大音量の音を優れた音質で放射することを可能にすることにある。【解決手段】ハニカムコア（心材）１１とこの心材１１を挟む一対のスキン（表層材）１２とによって一体的に形成され心材１１のみの場合に比して曲げ剛性の向上が図られたサンドイッチパネル１３の一方の面１３ａに、スキン１２の厚さより深く凹状に形成されかつ一方の面１３ａに沿って環状に延在すべく形成された少なくとも１つの環状溝１４１を設けてなり、この環状溝１４１によって囲まれた振動板部１４２を加振器１５で加振すべく構成している。【選択図】図１
2005217778.tif 000002
【特許請求の範囲】
【請求項１】
心材とこの心材を挟む一対の表層材とによって一体的に形成され上記心材のみの場合に比して曲げ剛性の向上が図られたサンドイッチパネルの一方の面に、上記表層材の厚さより深く凹状に形成されかつ当該一方の面に沿って環状に延在すべく形成された少なくとも１つの環状溝を設けてなり、この環状溝によって囲まれた振動板部を加振器で加振すべく構成していることを特徴とするパネルスピーカ。
【請求項２】
上記振動板部に上記加振器を取り付けることによって、当該振動板部を加振すべく構成していることを特徴とする請求項１に記載のパネルスピーカ。
【請求項３】
上記サンドイッチパネルにおける上記環状溝の外側に位置する支持板部に加振器を取り付けることによって、当該支持板部をも加振すべく構成していることを特徴とする請求項１又は２に記載のパネルスピーカ。
【請求項４】
上記サンドイッチパネルにおける上記環状溝の外側に位置する支持板部に加振支持フレームを設け、上記加振器における互いに相対変位する一方の変動部を上記加振支持フレームに連結し、他方の変動部を上記振動板部に連結することによって、当該振動板部を加振すべく構成していることを特徴とする請求項１に記載のパネルスピーカ。
【請求項５】
上記環状溝は、円形状、楕円形状又は多角形状の外縁に沿って環状に延在すべく形成されていることを特徴とする請求項１〜４の何れかに記載のパネルスピーカ。
【請求項６】
上記環状溝は、上記サンドイッチパネルを上記加振器で加振した際に当該サンドイッチパネルの表面に生じる振動の節の位置に沿って環状に延在すべく形成されていることを特徴とする請求項１〜４の何れかに記載のパネルスピーカ。
【請求項７】
上記振動板部の図心から外れた位置を上記加振器で加振すべく構成していることを特徴とする請求項１〜６の何れかに記載のパネルスピーカ。
【発明の詳細な説明】
【技術分野】
【０００１】
本発明は、パネルを加振器で加振することにより、音響を放射するパネルスピーカに関する。
【背景技術】
【０００２】
従来のコーン紙を加振する方式のスピーカに代えて、平板状のパネルを振動板として用い、この振動板を励振器（エキサイター）と称する加振器で加振することにより、上記振動板の表面等から音響を発する構造のパネルスピーカが注目されている。
【０００３】
このパネルスピーカにおいては、要求される音圧レベルの音を放射させるため、振動板に振動の自由度を与えた上で、当該振動板を必要な振幅で加振することになる。
【０００４】
このため、従来においては、大きく分けて２通りの方式のものが採用されている。
【０００５】
第１の方式のパネルスピーカは、図９に示すように、振動板１と、フレーム２と、弾性部材３と、加振器４とを備えたことを特徴としている。
【０００６】
振動板１は、例えば四角形の平板状に形成されており、フレーム２は、振動板１の周縁部を囲むように構成されている。また、フレーム２には、加振支持フレーム２ａが設けられている。
【０００７】
弾性部材３は、振動板１とフレーム２との間に介在されており、振動板１をフレーム２に対して振動自在に支持するようになっている。即ち、弾性部材３は、フレーム２を建物等に固定した場合でも、振動板１に振動の自由度を与えるようになっている。
【０００８】
加振器４は、互いに相対変位する一方の変動部を加振支持フレーム２ａに連結し、他方の変動部を振動板１の裏面に連結することによって、フレーム２に対して振動板１を加振するように構成されている。
【０００９】
このように構成されたパネルスピーカにおいては、振動板１を所要の振幅で振動させることができることから、要求される音圧レベルの音を得ることできるものの、フレーム２や弾性部材３が必要になることから、構造が複雑になるという問題がある。
【００１０】
また、第２の方式のパネルスピーカは、図１０に示すように、振動板１の曲げ剛性を意図的に低く設定することによって、当該振動板１に振動の自由度を与えるように構成されている。図１０は、振動板１の所定の共振周波数における振動モードについても示している。
【００１１】
このように構成されたパネルスピーカにおいては、振動板１を例えば建物の壁面パネルや天井パネル等として設置し、当該振動板１を裏面側から加振器（図示せず）で加振することにより、音響を発することができる。
【００１２】
ただし、壁面パネル等に用いるような面積の大きな振動板１を加振すると、いくつかの周波数で共振現象が生じるため、いわゆる「板鳴り」と称する現象が現れて音質の劣化を招く問題がある。
【００１３】
この「板鳴り」を防止するためには、振動板１の大きさを例えば３０ｃｍ四方以下にすることが好ましいが、この場合には、振動板１の曲げ剛性が高くなることから、所要の振幅が得られず、音圧レベルが低下するという欠点がある。
【００１４】
そして、この欠点を解消するため、振動板１として更に曲げ剛性の低いものを用いた場合には、振動系の過渡特性が悪くなって、クリアな音質が得られなくなり、また振動板１を弾性部材を介して建物に固定する場合には、建物への装着が煩雑となるという新たな問題が生じることになる。
【発明の開示】
【発明が解決しようとする課題】
【００１５】
本発明は、上記事情に鑑みてなされたものであり、構造が簡単でありかつ建物等にも簡単に取り付けることができ、しかも音圧レベルの大きな音を音質の優れた状態で放射することのできるパネルスピーカを提供することを課題としている。
【課題を解決するための手段】
【００１６】
上記課題を解決するため、請求項１に記載のパネルスピーカは、心材とこの心材を挟む一対の表層材とによって一体的に形成され上記心材のみの場合に比して曲げ剛性の向上が図られたサンドイッチパネルの一方の面に、上記表層材の厚さより深く凹状に形成されかつ当該一方の面に沿って環状に延在すべく形成された少なくとも１つの環状溝を設けてなり、この環状溝によって囲まれた振動板部を加振器で加振すべく構成していることを特徴としている。
【００１７】
請求項２に記載のパネルスピーカは、請求項１に記載の発明において、上記振動板部に上記加振器を取り付けることによって、当該振動板部を加振すべく構成していることを特徴としている。
【００１８】
請求項３に記載のパネルスピーカは、請求項１又は２に記載の発明において、上記サンドイッチパネルにおける上記環状溝の外側に位置する支持板部に加振器を取り付けることによって、当該支持板部をも加振すべく構成していることを特徴としている。
【００１９】
請求項４に記載のパネルスピーカは、請求項１に記載の発明において、上記サンドイッチパネルにおける上記環状溝の外側に位置する支持板部に加振支持フレームを設け、上記加振器における互いに相対変位する一方の変動部を上記加振支持フレームに連結し、他方の変動部を上記振動板部に連結することによって、当該振動板部を加振すべく構成していることを特徴としている。
【００２０】
請求項５に記載のパネルスピーカは、請求項１〜４の何れかに記載の発明において、上記環状溝は、円形状、楕円形状又は多角形状の外縁に沿って環状に延在すべく形成されていることを特徴としている。
【００２１】
請求項６に記載のパネルスピーカは、請求項１〜４の何れかに記載の発明において、上記環状溝は、上記サンドイッチパネルを上記加振器で加振した際に当該サンドイッチパネルの表面に生じる振動の節の位置に沿って環状に延在すべく形成されていることを特徴としている。
【００２２】
請求項７に記載のパネルスピーカは、請求項１〜６の何れかに記載の発明において、上記振動板部の図心から外れた位置を上記加振器で加振すべく構成していることを特徴としている。
【発明の効果】
【００２３】
上記のように構成された請求項１〜７に記載の発明によれば、サンドイッチパネルの一方の面に、表層材の厚さより深く凹状に形成された環状溝が設けられているので、この環状溝において曲げ剛性が極端に低下し、当該環状溝の内側の振動板部が当該環状溝の外側の部分に対して自由に振動することが可能になる。
【００２４】
このため、サンドイッチパネルの周縁部を建物等に固定した場合でも、振動板部を充分大きな振幅で加振することができるので、音圧レベルの大きな音を放射することができる。例えば、地下街などの地下居住空間には、消防法によって非常用のスピーカの設置が義務付けられるが、この消防法で要求される１メートル離れた位置での９０デシベルの音圧レベルを容易に達成することが可能である。即ち、非常用スピーカとして有効に利用することができる。
【００２５】
しかも、サンドイッチパネルによって振動板部の曲げ剛性が向上するので、振動系における過渡特性の悪化を防止することができ、音質の向上を図ることができる。また、環状溝によって振動板部の面積を所定の大きさに抑えることができるので、いくつかの周波数で共振現象が生じるのを防止することができる。即ち、いわゆる「板鳴り」と称する現象が現れて音質が劣化すのを防止することができる。
【００２６】
また、環状溝を形成するだけで振動板部の自由度を得ることができるので、構造の簡素化を図ることができる。
【００２７】
更に、サンドイッチパネルの周縁部を建物等に単に固定するだけで、当該建物等に極めて簡単に設置することができる。
【００２８】
また、サンドイッチパネルの曲げ剛性が高いことから、当該サンドイッチパネを例えば建物の壁面パネル等として利用した場合でも、当該サンドイッチパネルを叩いた際に他の壁面部とは異なる異様な音が発生するといった不具合を最小限に抑えることができる。なお、サンドイッチパネルを壁面パネルとして利用する場合には、環状溝のない他方の面を室内に向けることが好ましい。
【００２９】
そして更に、環状溝を２以上設けた場合には、個々にほぼ独立して振動する複数の振動板部を構成することができるので、２チャンネル以上の優れたステレオ音響を放出することができる。
【００３０】
請求項２に記載の発明によれば、振動板部に加振器を取り付けているので、この加振器における例えば電磁石の振動変位に伴う慣性力の変化によって、振動板部を加振することができる。この場合、環状溝が曲げ剛性の不連続部となることから、サンドイッチパネルにおける振動板部以外の部分への慣性力の影響を抑えながら、主として振動板部のみを加振することができる。
【００３１】
また、２以上の振動板部を有する場合も、個々の振動板部をほぼ独立した状態で加振することができるので、２チャンネル以上の優れたステレオ音響を放出することができる。
【００３２】
請求項３に記載の発明によれば、サンドイッチパネルにおける振動板部以外の支持板部にも加振器を取り付けて当該支持板部をも加振すべく構成しているので、より多チャンネルのステレオ音響を放出することができる。
【００３３】
請求項４に記載の発明によれば、サンドイッチパネルにおける振動板部以外の支持板部に加振支持フレームを設け、加振器における互いに相対変位する一方の変動部を加振支持フレームに連結し、他方の変動部を振動板部に連結するように構成しているので、加振器の振動変位を振動板部に確実に伝達することができる。従って、音圧レベル及び音質の向上を図ることができる。
【００３４】
請求項５に記載の発明によれば、例えば環状溝を円形状の外縁に沿って環状に形成することによって、円板状の振動板部が構成されることから、この振動板部の振動モードに即した音響特性を得ることができる。同様に、環状溝を楕円形状や多角形状の外縁に沿って環状に形成した場合には、楕円形板状や多角形板状の振動板部が構成されることになり、これらの形状からなる振動板部の振動モードに即した音響特性を得ることができる。
【００３５】
請求項６に記載の発明によれば、例えば所定の周波数で共振することによっていわゆるこもり音による音質の低下がみられた場合に、その周波数における振幅がほぼ零となる振動の節の位置に沿って環状溝を形成することにより、明瞭な音に改質することができる。従って、サンドイッチパネルの表面に生じる振動の節の位置に沿って環状溝を形成することにより、広い周波数の範囲において音質の低下のない優れた音響を提供することができる。
【００３６】
請求項７に記載の発明によれば、振動板部の図心から外れた位置を加振器で加振すべく構成しているので、振動板部における例えば一方の面を側面から見た場合に、所定の一点部を支点にして、角変位をするような振動を生じさせることができる。
【００３７】
ここで、例えば振動板部の図心を加振した場合には、上記一方の面は理論的には平行移動すべく振動変位することになるが、実際には振動板部の図心を一定の方向に加振することは不可能であるので、一方の面が平行に振動変位することはあり得ない。即ち、一方の面は、その面の方向を微妙に変化させながら不安定に振動することになる。
【００３８】
これに対して、振動板部の図心から外れた位置を加振器で加振した場合には、支点となる一点部の回りを往復回転するような振動変位が安定的に生ずることになるので、音質の向上を図ることができる。
【発明を実施するための最良の形態】
【００３９】
（第１の実施の形態）
本発明を実施するための最良の形態としての第１の実施の形態について図面を参照しながら説明する。
【００４０】
この第１の実施の形態で示すパネルスピーカ１０は、図１に示すように、ハニカムコア（心材）１１とこのハニカムコア１１を挟む一対のスキン（表層材）１２とによって一体的に形成され、ハニカムコア１１のみの場合に比して曲げ剛性の向上が図られたサンドイッチパネル１３の一方の面１３ａに、一方のスキン１２の厚さより深く凹状に切り欠かれかつ一方の面１３ａに沿って環状に延在すべく形成された環状溝１４１を設けてなり、この環状溝１４１によって囲まれた振動板部１４２を加振器１５で加振すべく構成している。
【００４１】
ハニカムコア１１は、図１（ｃ）に示すように、正六角状の筒を隣接させて平板状の広がりを有するように形成したものであり、それ自体の重量によっても容易に曲げ変形が生ずるほどの極め曲げ剛性の小さなもので構成されている。このハニカムコア１１は、アラミド樹脂、水酸化アルミニウム紙、アルミニウム、ガラスエポキシ、フェノールエポキシ等の材料によって一体的に形成されている。
【００４２】
スキン１２は、平面状の薄板によって形成されたものであって、ハニカムコア１１の表裏の各面に固着されることにより、当該ハニカムコア１１と一体化されるようになっている。このスキン１２は、アラミド樹脂、水酸化アルミニウム紙、アルミニウム、ガラスエポキシ、フェノールエポキシ等の材料によって形成されている。上記ハニカムコア１１とスキン１２は、同一の材質のものを組み合わせてもよいし、また異なる材質のものを組み合わせてもよい。
【００４３】
そして、サンドイッチパネル１３は、ハニカムコア１１の表裏にスキン１２を固着することによって、個々の部品の曲げ剛性に比して格段に高い曲げ剛性を有するものとなるようになっている。
また、サンドイッチパネル１３は、正方形状に形成されたハニカムコア１１及びスキン１２、１２によって、一方の面１３ａ及び他方の面１３ｂが正方形状の平面状に形成されたものとなっている。
【００４４】
環状溝１４１は、サンドイッチパネル１３の一方の面１３ａの図心を中心とする円周状（円形状の外縁に沿って環状）に形成されている。この環状溝１４１は、例えばフライス盤を用いてエンドミルで切削加工（機械加工）することにより、一方の面１３ａから一定の深さに形成されている。また、環状溝１４１の断面は、四角形状に形成されている。
【００４５】
加振器１５は、円板状に形成された振動板部１４２における一方の面１３ａの図心部に取り付けられている。この加振器１５は、図示しない永久磁石及び電磁石を備えており、これらの永久磁石と電磁石との相対変位に基づく慣性力の変動により、振動板部１４２を加振するようになっている。
【００４６】
また、サンドイッチパネル１３における環状溝１４１の外側の部分は、支持板部１４３になっており、この支持板部１４３の四隅部には、貫通孔１３ｃが形成されている。
【００４７】
上記のように構成されたパネルスピーカ１０においては、振動板部１４２に加振器１５を取り付けているので、この加振器１５における電磁石等の振動変位に伴う慣性力の変化によって、振動板部１４２を加振することができる。
【００４８】
また、各貫通孔１３ｃに挿入した例えばボルトによって、サンドイッチパネル１３の支持板部１４３を図示しない共鳴箱や建物等に固定することができる。
【００４９】
そして、サンドイッチパネル１３の一方の面１３ａに、スキン１２の厚さより深く切り欠いた環状溝１４１を設けているので、この環状溝１４１において曲げ剛性が極端に低下し、振動板部１４２が当該環状溝１４１の外側の支持板部１４３に対して自由に振動変位することが可能になる。
【００５０】
このため、サンドイッチパネル１３の支持板部１４３を建物等に固定した状態においても、振動板部１４２を充分大きな振幅で加振することができ、当該振動板部１４２から音圧レベルの大きな音を放射することができる。例えば、地下街などの地下居住空間には、消防法によって非常用のスピーカの設置が義務付けられるが、この消防法で要求される１メートル離れた位置での９０デシベルの音圧レベルを容易に達成することが可能である。即ち、非常用スピーカとしても有効に利用することができる。
【００５１】
しかも、振動板部１４２はサンドイッチパネル１３によって曲げ剛性の極めて高いものとなっているので、振動系における過渡特性の悪化を防止することができ、音質の向上を図ることができる。また、環状溝１４１によって振動板部１４２の面積を所定の大きさに抑えることができるので、いくつかの周波数で共振現象が生じるのを防止することができる。即ち、いわゆる「板鳴り」と称する現象が現れて音質が劣化すのを防止することができる。
【００５２】
また、環状溝１４１を形成するだけで振動板部１４２の自由度を充分に得ることができるので、構造の簡素化を図ることができる。しかも、環状溝１４１の深さを大きくとることによって、振動板部１４２をより柔軟に支持することができる。ただし、環状溝１４１の深さを大きくとることによって、当該振動板部１４２を支持する強度が低下することにもなる。
【００５３】
このため、居住空間の壁面パネルとしてサンドイッチパネル１３を利用する場合には、多少乱暴な取り扱いをしても充分な強度が確保できるように環状溝１４１を浅く形成し、音響特性を向上させたい場合には環状溝１４１を深く形成するなどの適切な対応をとることが好ましい。因みに、非常用スピーカにおいては、上述した９０デシベルの音圧レベルの音が得られることを条件として、環状溝１４１を浅く形成し、強度の向上を図ることが好ましい。
【００５４】
更に、サンドイッチパネル１３の周縁部を共鳴箱や建物等に単に固定するだけで、当該建物等に簡単に設置することができる。
【００５５】
また、サンドイッチパネル１３の曲げ剛性が高いことから、当該サンドイッチパネを建物の壁面パネルとして利用した場合でも、当該壁面パネルを叩いた際に他の壁面とは異なる異様な音が生じるなどの不具合が生じるのを最小限に抑えることができる。なお、サンドイッチパネル１３を壁面パネルとして利用する場合には、環状溝１４１のない他方の面１３ｂを室内に向けることが好ましい。
【００５６】
｛発明を実施するための異なる形態｝
次に、本発明を実施するための異なる形態を図面を参照しながら説明する。
【００５７】
（第２の実施の形態）
まず、第２の実施の形態を図２を参照しながら説明する。但し、上記第１の実施の形態で示した構成要素と共通する要素には同一の符号を付し、その説明を簡略化する。
【００５８】
この第２の実施の形態で示すパネルスピーカ２０が第１の実施の形態で示したパネルスピーカ１０と異なる点は、支持板部１４３に加振支持フレーム２１を設け、加振器１５における互いに相対変位する一方の変動部（例えば上記永久磁石側の部分）を加振支持フレーム２１に連結し、他方の変動部（例えば上記電磁石側の部分）を振動板部１４２に連結することによって、当該振動板部１４２を加振すべく構成している点である。
【００５９】
加振支持フレーム２１は、帯状の板によって一体的に形成されたものであり、その両端部に位置する各脚部２１ａが支持板部１４３における振動板部１４２を挟んだ各位置に固定され、脚部２１ａ、２１ａ間の帯状板部２１ｂが振動板部１４２における一方の面１３ａと所定の間隔をおいて平行に延在すべく構成されている。また、加振支持フレーム２１は、その帯状板部２１ｂの中心部が振動板部１４２の図心部に対応した状態となるように支持板部１４３に設置されている。
【００６０】
加振器１５は、一方の変動部が加振支持フレーム２１における帯状板部２１ｂの中心部に連結され、他方の変動部が振動板部１４２の図心部に連結されている。
【００６１】
上記のように構成されたパネルスピーカ２０においては、支持板部１４３に加振支持フレーム２１を設け、加振器１５の一方の変動部を加振支持フレーム２１に連結し、他方の変動部を振動板部１４２に連結しているので、加振器１５の振動変位を振動板部１４２に確実に伝達することができる。従って、音圧レベル及び音質の向上を図ることができる。
【００６２】
（第３の実施の形態）
次に、第３の実施の形態を図３を参照しながら説明する。但し、上記第１の実施の形態で示した構成要素と共通する要素には同一の符号を付し、その説明を簡略化する。
【００６３】
この第３の実施の形態で示すパネルスピーカ３０が第１の実施の形態で示したパネルスピーカ１０と異なる点は、環状溝３１１が正方形状の外縁に沿って環状に延在すべく形成されている点である。
【００６４】
即ち、環状溝３１１は、サンドイッチパネル１３における一方の面１３ａの図心と一致し、当該サンドイッチパネル１３の周縁に沿って延在する正方形状に形成されている。但し、環状溝３１１の各角部は、円弧状に丸められている。また、サンドイッチパネル１３における環状溝３１１の内側が正方板形状の振動板部３１２になっており、当該環状溝３１１の外側が支持板部３１３になっている。
【００６５】
上記のように構成されたパネルスピーカ３０においては、サンドイッチパネル１３及び環状溝３１１が正方形状に形成されているので、振動板部３１２における一方の面１３ａの面積をサンドイッチパネル１３における一方の面１３ａの面積とほぼ同等の大きさまで拡大することができる。従って、音の拡散減衰を抑える上で効果があるので、例えば非常放送を部屋の隅々まで確実に到達させる上で有効である。
【００６６】
なお、サンドイッチパネル１３が正方形状で環状溝１４１が円形状の場合（即ち、第１の実施の形態の場合）には、振動板部１４２の一方の面１３ａの面積はサンドイッチパネル１３の一方の面１３ａの面積の約π／４（環状溝１４１の幅を考慮すれば、更に小さくなる）を超えることができない。これに対して、この実施の形態では、振動板部３１２の面積をサンドイッチパネル１３の面積とほぼ同等の大きさまで拡大することができる。
【００６７】
また、振動板部３１２が正方板形状に形成されているので、この正方板形状の振動板部３１２の振動モードに即した音響特性を得ることができる。なお、円板形状の振動板部１４２の場合（即ち、第１の実施の形態の場合）には、この円板形状の振動板部１４２の振動モードに即した音響特性を得ることができる。また、環状溝は、楕円形状や正方形状以外の多角形状の外縁に沿うように環状に形成してもよい。この場合には、楕円板形状や他の多角板形状の振動板部の振動モードに即した音響特性を得ることができる。
【００６８】
（第４の実施の形態）
次に、第４の実施の形態を図４及び図５を参照しながら説明する。但し、上記第１の実施の形態で示した構成要素と共通する要素には同一の符号を付し、その説明を簡略化する。
【００６９】
この第４の実施の形態で示すパネルスピーカ４０が第１の実施の形態で示したパネルスピーカ１０と異なる点は、環状溝４１１がサンドイッチパネル１３の図心を加振器１５で加振した際に当該サンドイッチパネル１３の一方の面１３ａに生じる振動の節の位置に沿って環状に延在すべく形成されている点である。
【００７０】
即ち、サンドイッチパネル１３は、一方の面１３ａの図心部を加振することによって、図５に示すように、周波数によって異なる振動モードで共振することになる。この共振は、水平に設置したサンドイッチパネル１３の上に微細な粒子（例えば砂糖粒）を散布することによって、振動の節（ノードライン）を観察することができる。
【００７１】
この実施の形態では、サンドイッチパネル１３の周縁に沿って正方形状に近い形状の振動の節４２ａ（図５参照）が生ずる振動モードを発見し、当該節４２ａに沿って環状溝４１１（図４参照）を形成している。また、図４において、サンドイッチパネル１３における環状溝４１１の内側が振動板部４１２になっており、当該環状溝４１１の外側が支持板部４１３になっている。加振器１５は、振動板部４１２における一方の面１３ａの図心部に取り付けられている。
【００７２】
上記のように構成されたパネルスピーカ４０においては、振動板部４１２をサンドイッチパネル１３の周縁に沿った正方形状に近似させることができるので、音響を放射する振動面の面積を大きくとることができる。即ち、振動板部４１２の一方の面１３ａの面積を、サンドイッチパネル１３の一方の面１３ａの面積の約π／４を超えた面積に設定することが可能である。従って、第３の実施の形態と同様に、音の拡散減衰を抑えることができる。
【００７３】
また、第３の実施の形態で示したように振動板部３１２を正方形状に形成した場合には、特定の共振周波数において、いわゆる「こもり音」が生じて音質の低下を招く場合があるが、この第４の実施の形態においては、「こもり音」を解消してクリアな音を得ることができる。
【００７４】
（第５の実施の形態）
次に、第５の実施の形態を図６及び図７を参照しながら説明する。但し、上記第１の実施の形態で示した構成要素と共通する要素には同一の符号を付し、その説明を簡略化する。
【００７５】
この第５の実施の形態で示すパネルスピーカ５０が第１の実施の形態で示したパネルスピーカ１０と異なる点は、サンドイッチパネル１３が長方形状に形成され、正方形状の外縁に沿う環状溝５１１が隣接して２つ設けられている点である。
【００７６】
各環状溝５１１は、サンドイッチパネル１３を長手方向に２等分する中心線Ｃ１に沿って形成された溝部を共有にし、当該中心線Ｃ１に対して線対称に形成されている。また、各環状溝５１１は、サンドイッチパネル１３を幅方向に２等分する中心線Ｃ２に対しても線対称に形成されている。
【００７７】
そして、サンドイッチパネル１３における各環状溝５１１の内側が各振動板部５１２となっており、２つの環状溝５１１の外側が支持板部５１３となっている。
【００７８】
加振器１５は、各振動板部５１２における一方の面１３ａの図心からサンドイッチパネル１３における長手方向の外方にずれた位置に設けられている。しかも、各加振器１５は、中心線Ｃ１に対して線対称の位置でかつ中心線Ｃ２上の位置に配置されている。
【００７９】
上記のように構成されたパネルスピーカ５０においては、２つの環状溝５１１を設けることによって、個々にほぼ独立して振動する２つの振動板部５１２を構成することができる。従って、１枚のサンドイッチパネル１３を設置するだけで、２チャンネルの優れたステレオ音響を提供することができる。
【００８０】
また、振動板部５１２の図心から外れた位置を加振器１５で加振しているので、一方の面１３ａ又は他方の面１３ｂを側面から見ると、図７に示すように、所定の一点部１３ｄを支点にして、往復角変位をするような振動が生じる。
【００８１】
ここで、例えば振動板部５１２の図心を加振する場合を考察してみると、例えば一方の面１３ａは理論的には平行移動すべく振動変位することになるが、実際には振動板部５１２の図心を一方の面１３ａに対して一定の方向に加振することは不可能であるから、一方の面１３ａは、その方向を不安定に変化させながら振動することになる。
【００８２】
これに対して、振動板部５１２の図心から外れた位置を加振器１５で加振した場合には、一点部１３ｄの回りに往復角変位する安定した振動になる。従って、音質の向上を図ることができる。
【００８３】
（第６の実施の形態）
次に、第６の実施の形態を図８を参照しながら説明する。但し、上記第１の実施の形態で示した構成要素と共通する要素には同一の符号を付し、その説明を簡略化する。
【００８４】
この第６の実施の形態で示すパネルスピーカ６０が第１の実施の形態で示したパネルスピーカ１０と異なる点は、サンドイッチパネル１３における他方の面１３ｂを映像スクリーンとして用い、当該サンドイッチパネル１３の一方の面１３ａ側に環状溝６１１を設け、環状溝６１１で囲まれた振動板部６１２の面積を環状溝６１１の外側に位置する支持板部６１３の面積より小さく形成し、振動板部６１２及び支持板部６１３に加振器１５を取り付けることによって、振動板部６１２及び支持板部６１３を加振すべく構成している点である。
【００８５】
映像スクリーンとして用いるサンドイッチパネル１３は、長方形状に形成されたものであり、その長手方向を水平に向けた状態で、その上辺部等が建物などの梁や天井等からワイヤ、鎖、ロープ等の屈曲自在な可撓性部材によって吊り下げられるようになっている。また、サンドイッチパネル１３は、可撓性部材によって吊り下げられることにより、充分な振動の自由度が得られるようになっている。
【００８６】
環状溝６１１は、振動板部６１２の直径が３０ｃｍ以下の円板状になるように、円周状に形成されたものが２つ設けられている。これらの環状溝６１１は、サンドイッチパネル１３の長手方向の各端部に配置されていると共に、サンドイッチパネル１３を長手方向に２等分する中心線Ｃ１に対して線対称となる位置に配置され、かつ当該サンドイッチパネル１３を幅方向に２等分する中心線Ｃ２上の位置に配置されている。
【００８７】
加振器１５は、各振動板部６１２における一方の面１３ａの図心部に取り付けられていると共に、支持板部６１３における一方の面１３ａにも４つ取り付けられている。
【００８８】
支持板部６１３に取り付けられた加振器１５は、中心線Ｃ１の左右の各位置に上下に設置されている。しかも、各加振器１５は、中心線Ｃ１に対して線対称の位置に配置されていると共に、中心線Ｃ２に対しても線対称の位置に配置されている。
【００８９】
上記のように構成されたパネルスピーカ６０においては、サンドイッチパネル１３自体に充分な振動の自由度が得られることから、面積の大きな支持板部６１３を各加振器１５で加振することができる。従って、重低音の迫力ある音響を放出することができる。
また、直径が３０ｃｍ以下の振動板部６１２からは高周波特性に優れた音響を放出することができる。
【００９０】
しかも、環状溝６１１によって、サンドイッチパネル１３の剛性の連続性が断たれ、各振動板部６１２と支持板部６１３とがほぼ独立して振動することが可能であるので、極めてクリアな音を放出することができる。
【００９１】
また、この場合、２つの振動板部６１２と１つの支持板部６１３を加振することにより、３チャンネルのステレオ音響を放出したり、６コの加振器１５の数に応じた６チャンネルのステレオ音響を放出したりすることもできる。
【００９２】
なお、上記各実施の形態においては、サンドイッチパネルとして四角形状のサンドイッチパネル１３を示したが、このサンドイッチパネルは、円形状、楕円形状、多角形状等のもので構成してもよい。この場合、環状溝は、各サンドイッチパネルの周縁に沿うようにそれぞれ円形状、楕円形状、多角形状等に形成することが振動面の面積を増加し、音の拡散減衰を抑える上で好ましい。
【００９３】
また、第５の実施の形態以外で示した振動板部１４２、３１２、４１２、６１２においても、図心からずれた位置を加振器１５で加振するように構成してもよい。
【図面の簡単な説明】
【００９４】
【図１】この発明の第１の実施の形態として示したパネルスピーカの図であって、（ａ）は一方の面側から見た斜視図であり、（ｂ）は（ａ）のＢ−Ｂ線に沿う断面図であり、（ｃ）はハニカムコアの平面図である。
【図２】この発明の第２の実施の形態として示したパネルスピーカの一方の面側から見た斜視図である。
【図３】この発明の第３の実施の形態として示したパネルスピーカの一方の面側から見た斜視図である。
【図４】この発明の第４の実施の形態として示したパネルスピーカの一方の面側から見た斜視図である。
【図５】同パネルスピーカの振動モードを示す説明図である。
【図６】この発明の第５の実施の形態として示したパネルスピーカの一方の面側から見た斜視図である。
【図７】同パネルスピーカにおける振動板部の一方の面又は他方の面の振動形態を示す説明図である。
【図８】この発明の第６の実施の形態として示したパネルスピーカの一方の面側から見た斜視図である。
【図９】従来例として示したパネルスピーカであって、（ａ）は正面図、（ｂ）は背面図、（ｃ）は断面図である。
【図１０】他の従来例として示したパネルスピーカの斜視図である。
【符号の説明】
【００９５】
１０、２０、３０、４０、５０、６０  パネルスピーカ
１１  ハニカムコア（心材）
１２  スキン（表層材）
１３  サンドイッチパネル
１３ａ  一方の面
１３ｂ  他方の面
１５  加振器
２１  加振支持フレーム
１４１、３１１、４１１、５１１、６１１  環状溝
１４２、３１２、４１２、５１２、６１２  振動板部
１４３、３１３、４１３、５１３、６１３  支持板部
【図１】
2005217778.tif 000003
【図２】
2005217778.tif 000004
【図３】
2005217778.tif 000005
【図４】
2005217778.tif 000006
【図５】
2005217778.tif 000007
【図６】
2005217778.tif 000008
【図７】
2005217778.tif 000009
【図８】
2005217778.tif 000010
【図９】
2005217778.tif 000011
【図１０】
2005217778.tif 000012